(57)【要約】【課題】本発明は、容器本体に表示されている表示部を、被包装物を収容した袋状包装で隠蔽することがなく、しかも、袋状包装体を、容易且つ迅速に容器に貼付することができるようにすることを課題とする。【解決手段】表面に表示部を有する胴部と、該胴部よりも小径の首部の上方に設けられ且つ首部よりも略水平方向に突出する平面部を有するヘッド部とを備えた容器本体に、被包装物を収容してなる袋状包装体を添付した袋状包装体付き容器において、前記袋状包装体は、前記ヘッド部に貼着されると共に前記首部に位置していることにある。【選択図】　　図１
2004035005.tif 000002
【特許請求の範囲】
【請求項１】
表面に表示部を有する胴部と、該胴部よりも小径の首部の上方に設けられ且つ首部よりも略水平方向に突出するヘッド部とを備えた容器本体に、被包装物を収容してなる袋状包装体を添付した袋状包装体付き容器において、前記袋状包装体は、前記ヘッド部に貼着されると共に前記首部に位置していることを特徴とする袋状包装体付き容器。
【請求項２】
前記請求項１に記載の袋状包装体付き容器のヘッド部に貼着可能な粘着層を内面に有する基材シートと、該基材シートの外面に貼着され且つ被包装物が収容された袋体とを備えた袋状包装体。
【発明の詳細な説明】
【０００１】
【発明の属する技術分野】
本発明は、例えば、トリガー式液体噴出容器等の容器に、カード等の被包装物を包装してなる袋状包装体が貼付されている袋状包装体付き容器及び袋状包装体に関する。
【０００２】
【従来の技術】
従来、例えば、液体洗剤、漂白剤、仕上げ剤等の液体を収容する容器として、トリガー式液体噴出容器が周知である。この種のトリガー式液体噴出容器は、図８に示す如く、容器本体５５と袋状包装体５８とからなる。容器本体５５は、胴部５０に、文字や図柄等の表示部５１ａを有するシュリンクラベル５１が外嵌装着され、しかも、前記胴部５０よりも小径の首部５３の上方にはヘッド部５４が設けられているものである。
【０００３】
前記袋状包装体５８は、商品の販売促進する等の目的等から、前記首部５３に吊り下げられているもので、冊子やカード、試供品等の被包装物５６が袋体５７に収容されてなるものである。
尚、ヘッド部５４は、容器５５の内容物を噴出するためのノズル６０を前面に有するボディー６１と、液体をノズル６０から噴出できるように図示省略のシリンダ機構を作動させるべく、揺動自在に設けられたトリガー６２とを備えたものである。
【０００４】
【発明が解決しようとする課題】
しかしながら、トリガー式液体噴出容器は、袋状包装体５８が前記首部５３に吊り下げられる構成であるため、胴部５０に外嵌装着されたシュリンクラベル５１の外面側に位置することとなる。この結果、袋状包装体５８がシュリンクラベル５１の表示部５１ａを隠蔽してしまう問題があった。
【０００５】
また、前記ヘッド部５４が首部５３よりも水平方向に突出していることから、袋状包装体５８を首部５３に自動的に吊り下げることが困難であり、かかる吊り下げ作業は、手作業により行っているのが現状であり、作業能率が悪かった。
【０００６】
そこで本発明は、上記従来の問題点に鑑みてなされたもので、容器本体に表示されている表示部を、被包装物を収容した袋状包装で隠蔽することがなく、しかも、袋状包装体を、容易且つ迅速に容器に貼付することができるようにすることを課題とする。
【０００７】
【課題を解決するための手段】
本発明は、上記課題を解決すべく袋状包装体付き容器及び袋状包装体としてなされたものであり、袋状包装体付き容器としての特徴は、表面に表示部を有する胴部と、該胴部よりも小径の首部の上方に設けられ且つ首部よりも略水平方向に突出する平面部を有するヘッド部とを備えた容器本体に、被包装物を収容してなる袋状包装体を添付した袋状包装体付き容器において、前記袋状包装体は、前記ヘッド部に貼着されると共に前記首部に位置していることにある。
【０００８】
そして、前記袋状包装体をヘッド部の平面部に貼着することにより、かかる袋状包装体を、文字や図柄等を表示することがほとんどできない首部に位置させるることができ、胴部の表示を隠蔽しないようにすることができると共に、表示面積も大きくできる。
また、首部よりも略水平方向に突出するヘッド部に、袋状包装体を貼着するので、その袋状包装体の貼着を強固にすることが可能となる。しかも、袋状包装体をヘッド部に貼着するため、首部に吊り下げる場合に比し、作業も容易且つ迅速に行える。尚、首部よりも略水平方向とは、水平及び若干斜めに傾斜したものも含む。
【０００９】
袋状包装体としての特徴は、前記袋状包装体付き容器のヘッド部に貼着可能な粘着層を内面に有する基材シートと、該基材シートの外面に貼着され且つ被包装物が収容された袋体とを備えたことにある。
【００１０】
そして、前記基材シートをヘッド部に貼着する簡単な工程により、袋状包装体を容器本体に添付することができ、従来周知のタックラベラー等を使用して自動化を容易に達成することができる。
【００１１】
【発明の実施の形態】
以下、本発明の一実施形態について図面を参酌しつつ説明する。図１及び図２は、トリガー式液体噴出容器を示し、本容器１は容器本体２とヘッド部３と袋状包装体４を備えたものである。
【００１２】
前記容器本体２は、例えば、液体洗剤、ガラスクリーナ、カビ取り洗剤、洗濯糊等の液体（内容物）が充填されており、その胴部５には、表示部を有するシュリンクラベル６が外嵌装着されている。尚、胴部５の断面形状は、例えば、楕円形等の非円形又は円形の任意の形状が設定可能であるが、本実施の形態では、楕円形のものを例示する。また、胴部５とは内容物が充填される部分をいう。
【００１３】
前記胴部５の上部には、該胴部５よりも小径の首部７が延設されている。ここで、首部７の断面形状は、特に限定されるものではなく、前記胴部５の形状と同様に楕円形であっても、または円形であっても良い。首部７が小径とは、首部７の最大周長が、胴部５最大周長よりも小さいことをいう。また、首部７とは、前記胴部５よりも上方で且つヘッド部３よりも下方の部分をいう。また、首部７の直径は一定に限らず、図１及び図２に示す如く、首部７を把持して容器本体２を確実に持てるように、窪み部７ａを設けたものであっても良い。尚、首部７の上部は、ヘッド部３と連接したキャップ部により形成されていても良い。
【００１４】
ヘッド部３とは、容器本体２内の内容物を噴出するためのノズル８を有するボディー１０と、図示省略のシリンダ機構を作動させるべく、揺動自在に設けられたトリガー１１とを備えたものである。ボディー１０は、その前後方向の長さが首部７の同方向の直径よりも大きくなっており、しかも、その両側面１０ａが平面に形成されている。
【００１５】
また、前記袋状包装体４は、基材シート１３と、被包装物１４を収納する袋体１５とからなる。前記基材シート１３は、例えば、図６（イ）に示す如く、紙、合成紙、プラスチックフィルム等の単層又は複層材料から、水平部１６と垂直部１７を有する略Ｔ字状に形成されている。また、水平部１６の外面１６ａには、文字や図柄等の印刷（図示省略）が施されており、水平部１６及び垂直部１７の裏面１６ｂ，１７ｂの全面には、粘着剤（同図に斜線で示す部分）１８が塗布されている。
【００１６】
基材シート１３の外面（外面水平部１６及び垂直部１７の外面１６ａ，１７ａの適宜部分）には、接着剤１９を介して前記袋状包装体４の袋体１５が貼着されている。袋体１５は、ポリエチレンやポリプロピレン等の単層フィルムあるいは、ポリエステルやナイロン等のフィルムの内面にポリエチレン等の熱融着性樹脂を積層したラミネートフィルム、更にアルミニウムやガスバリアー性フィルム等を積層した３層以上の多層ラミネートフィルム等から形成された３方シール型または４方シール型のものである。
【００１７】
そして、かかる袋体１５に、被包装物１４を収容（充填も含む）して偏平状に形成されている。尚、図１中クロスハッチング部分は、袋体１５の熱シール部分であり、図示しないが袋体１５には、被包装物を表す文字等が適宜印刷されている。
【００１８】
被包装物１４としては、液体、粉体、固体のいずれでも良く、また、板状や粒状のものでも良い。具体的には、商品の説明書、注意書等の冊子、液体洗剤、シャンプー、リンス、化粧液、ソースやドレッシング等、粉末洗剤、医薬品、練りからしや粉末調味料、ピーナッツやあられ等の食品、カードや写真、薄型玩具等が例示できる。
【００１９】
基材シート１３の内面に積層される粘着剤層１８は、通常の粘着ラベルに使用されるアクリル系やゴム、ウレタン系等の公知のもので厚さ１０〜５０μｍ程度に形成される。
【００２０】
以上の構成からなるトリガー式液体噴出容器は、袋状包装体４が首部７に位置しており、胴部５に位置していないことから、かかる袋状包装体４がシュリンクラベル６の表示部６ａを隠蔽することはなく、該表示部６ａを目視することができる。また、袋状包装体４は、首部７よりも大きいが、水平方向に突出しているヘッド部３に固定できる。
【００２１】
次に、前記袋状包装体の製造方法について図３を参照しながら説明する。
先ず、基材シート１３の下側に粘着剤層１８を介して離型紙２１が積層された長尺状シート（前工程で基材シートの表面に印刷等が施されている。）２９が、矢印方向に繰り出される（図３のａ部分）。更に、ホットメルトアプリケータ等のノズル（図示省略）等から、溶融したホットメルト接着剤１９がに基材シート１３の上面に塗布される（図３のｂ部分）。
【００２２】
次に、別途製造された液体、粉体等の被包装物１４が収容等された袋状包装体４を、前記基材シート１３に前記接着剤１９を介して接着させる（図３のｃ部分）。尚、各袋状包装体４を、基材シート１３の所定位置に確実に接着するためには、予め袋状包装体４を連続してなる連続体を形成しておいて、その連続体を離型紙２１上の基材シート１３に重ね合わせ、カット刃により所定の形状にカットするのが好ましい。また、連続包装体は、例えば、縦型ピロー包装機によって被包装物を充填シールしてそれぞれの袋体を切り離さない状態で作成することができる。
【００２３】
更に、前記の如く多数の袋状包装体４を離型紙２１に貼着してなる包装体付属シート供給帯状体２３を製造する。尚、図４に包装体付属シート供給帯状体の断面を示す。そして、かかる包装体付属シート供給帯状体２３を、図５に示す如く、タックラベラーによって容器に貼着することができる。具体的には、図示しないロール等から繰り出された供給帯状体２３は、袋状包装体４を離型紙２１から剥離するためのディスペンサー２４の先端に達すると、離型紙２１は鋭角に折り曲げられ、基材シート１３（粘着剤層）が剥離紙２１が剥離され、その前側がディスペンサー２４の先端より突出した状態となり、コンベア（図示省略）により起立した状態で移送されてきた容器本体２のヘッド部３に、ローラ２５によって押圧されて貼着され、その後押圧ベルト２６によって全面が押圧される。これによって基材シート１３の水平部１６がヘッド部３に、垂直部１７が首部７に接着し固定されている。
【００２４】
前記離型紙２１は送りローラ２７によって送られた後に、ロール状に巻き取られる。３０はヘッド部３を案内するためのガイド体である。尚、容器本体２は、起立した状態でコンベアによって移送する以外に、横方向に倒した状態で移送しながら、タックラベラーにより袋状包装体４を貼着しても良い。
【００２５】
上記使用例のようにタックラベラーによって、袋状包装体４を効率良く容器本体２に自動的に且つベタベタでない状態で強固に貼着することができるが、手作業による場合であっても、袋状包装体４を剥離紙２１から剥離して粘着層１８によって容器本体２に貼着するだけの簡単な作業で行うことができるため効率が良い。
【００２６】
尚、本発明は上記実施形態に限定されることはなく、例えば、前記基材シート１３シートに塗布される粘着剤１８は、図６（ロ）に示す如く、水平部１６の全面及び垂直部１７の一部に設けることも可能である。
【００２７】
図７（イ）に示す如く、袋体１５を大きく設けて、基材シート１３に印刷された表示部１３ｃが、袋体１５を介して目視できるようにしても、あるいは、かかる表示部１３ｃが印刷されたシートを、袋体内に収容することも可能である。
【００２８】
更に、前記基材シート１３の形状は、Ｔ字条に限定されるものではなく、図７（ロ）に示す如く、矩形状のものに適宜糊抑制部（マスキング印刷）３２を設けるようにしても良い。また、基材シート１３及び袋体１５は、ヘッド部３の幅より小さくても良く、若干突出する大きさのものでも良い。
【００２９】
また、容器１は、トリガー式液体噴出容器に限定されるものではなく、例えば、ヘッド部３としては、容器本体２の口部を閉塞する蓋体であっても良い。しかも、胴部５に表示部６ａを設ける手段としてシュリンクラベル６を採用したが、それ以外にストレッチラベルであっても、また、所定形状のラベルを貼着しても、または、直接胴部５に印刷しても良い。
【００３０】
更に、前記実施の形態では、袋状包装体４が、シュリンクラベル６に重ならない場合は無論、胴部５の表示部６ａを目視できる場合には、袋状包装体４の下部が、シュリンクラベル６に重なっても良く、本発明の要旨を逸脱しない範囲で任意に設計変更可能である。
【００３１】
【発明の効果】
以上のように、本発明の袋状包装体付き容器は、袋状包装体が前記ヘッド部に貼着されると共に前記首部に位置しているので、袋状包装体で胴部の表示を隠蔽してしまうのを防止できると共に、首部よりも水平方向に突出するヘッド部に、袋状包装体を貼着するので、その袋状包装体の貼着を強固にすることが可能となる。しかも、袋状包装体をヘッド部の平面部に貼着するため、首部に吊り下げる場合に比し、袋状包装体の添付作業も容易且つ迅速に行える。
【図面の簡単な説明】
【図１】本発明の一実施形態を示す一部破断は含む全体側面図である。
【図２】同断面を含む正面図である。
【図３】同袋状包装体の連続体を製造する工程を示す概略平面図である。
【図４】同包装体付属シート供給帯状体の断面図である。
【図５】包装体付属シート供給帯状体の使用状態を示す平面図である。
【図６】（イ）及び（ロ）は、基材シートの内面をそれぞれ示す背面図である。
【図７】（イ）は袋状包装体の他の実施の形態を示す図、（ロ）は基材シートの他の実施の形態を示す背面図である。
【図８】従来例を示し、（イ）は全体側面図、（ロ）は全体正面図である。
【符号の説明】
２…容器本体、３…ヘッド部、４…袋状包装体、５…胴部、１３…基材シート、１４…被包装物、１５…袋体、１８…粘着剤（粘着層）
【図１】
2004035005.tif 000003
【図２】
2004035005.tif 000004
【図３】
2004035005.tif 000005
【図４】
2004035005.tif 000006
【図５】
2004035005.tif 000007
【図６】
2004035005.tif 000008
【図７】
2004035005.tif 000009
【図８】
2004035005.tif 000010